(57)【要約】【課題】布団などを加熱乾燥するのみならず、ダニなどの害虫も高温に曝して確実に死滅させることのできる家庭用品加熱機および加熱方法が望まれている。【解決手段】家庭用品加熱機１は、家庭用品Ｇを収容する断熱箱体２と、断熱箱体２を被包する耐熱性の外袋体３と、プラグ１５をつないだ家庭用商用電源で駆動されるとともに熱風を吹出口から吹き出す熱風装置４と、熱風装置４の吹出口と断熱箱体２内とをつなぐ送風管５と、を備えていて、断熱箱体２を成す断熱壁が、断熱板材と断熱板材を被包したアルミニウム板材とから構成されているとともに、熱風装置４から断熱箱体２内に送り込まれた熱風を、断熱箱体２の断熱壁の隙間から外袋体３内へ流出させることにより、断熱箱体２内の家庭用品Ｇを６５℃以上に加熱するように構成したものである。【選択図】図２
2019013652.tif 000002
【特許請求の範囲】
【請求項１】
家庭用品を収容する断熱箱体と、前記断熱箱体を被包する耐熱性の外袋体と、家庭用商用電源で駆動されるとともに熱風を吹出口から吹き出す熱風装置と、前記熱風装置の吹出口と前記断熱箱体内とをつなぐ送風管と、を備えていて、
前記断熱箱体を成す断熱壁が、断熱板材と、前記断熱板材を被包したアルミニウム板材と、から構成されているとともに、
前記熱風装置から前記断熱箱体内に送り込まれた熱風を、前記断熱箱体の断熱壁の隙間から前記外袋体内へ流出させて、前記断熱箱体内の家庭用品を６５℃以上に加熱するように構成したことを特徴とする家庭用品加熱機。
【請求項２】
前記断熱箱体、前記外袋体、前記熱風装置および前記送風管のいずれもが、住宅の出入口から室内に搬入可能な大きさに且つ組立分解自在にそれぞれ構成されていることを特徴とする請求項１に記載の家庭用品加熱機。
【請求項３】
通気性を有する家庭用品載置台が、前記断熱箱体内に配備されることを特徴とする請求項１または請求項２に記載の家庭用品加熱機。
【請求項４】
前記断熱箱体が、住宅の出入口から室内に搬入可能な大きさに且つ組立分解自在にそれぞれ構成された、複数のパーツ部材から成ることを特徴とする請求項１から請求項３までのいずれか一項に記載の家庭用品加熱機。
【請求項５】
請求項１から請求項４までのいずれか一項に記載の家庭用品加熱機から個々に分解された、断熱箱体、外袋体、熱風装置、および送風管をそれぞれ住宅の出入口から室内に搬入する室内搬入工程と、
前記室内の床に前記外袋体を展張する袋展張工程と、
前記展張された外袋体の底面上に前記断熱箱体を設置する箱体設置工程と、
前記設置された断熱箱体内に家庭用品を収容する家庭用品収容工程と、
前記断熱箱体を蓋止するとともに前記断熱箱体を前記外袋体で被包する封止工程と、
家庭用商用電源に熱風装置をつないで駆動させるとともに前記熱風装置の吹出口から前記断熱箱体内に熱風を吹き出して前記断熱箱体内の家庭用品を６５℃以上に加熱する家庭用品加熱工程と、
６５℃以上に規定時間保持された家庭用品を前記断熱箱体および前記外袋体から取り出す家庭用品取出工程と、
を備えて成ることを特徴とする家庭用品加熱方法。
【発明の詳細な説明】
【技術分野】
【０００１】
本発明は、布団やマットレスなどの家庭用品を加熱して乾燥させる家庭用品加熱機、およびこの家庭用品加熱機を用いた家庭用品加熱方法に関するものである。
【背景技術】
【０００２】
従来、この種の家庭用品加熱機としては、下記の特許文献１に記載されているように、車載式の乾燥室内に、布団などを掛ける寝具掛け部材が配備されていて、バーナーからの燃焼空気を乾燥室内に吹き込んで昇温させるものが知られている。この家庭用品加熱機では、８０℃程度に保持された車上の乾燥室内に、住宅から搬出された布団などの寝具類が運び込まれ、バーナーからの燃焼空気により寝具類の加熱乾燥および殺虫を行なうとされている。因みに、寝具類に住みついたダニは４０〜５０℃程度ではかなり生き残るが、６０℃以上になると死滅することが知られている。
【０００３】
ところで、上記した車載式の家庭用品加熱機は規模が大きすぎるため、住宅の室内に搬入できず当該室内で寝具類の加熱乾燥殺虫を行なえないし、室内の商用電源を使用できない場合も多い。そのために、寝具類を室外に運び出したうえで車上の乾燥室に収容させる必要があり、人目を気にする家人にとっては不快感を覚えることがあった。また、家人が老人の場合、寝具類の片付けおよび持ち運びはとても苦になっている。更には、バーナーの燃焼空気が乾燥室内に吹き込まれるため、寝具類が痛んだりその臭いが寝具類に付着したりするという懸念もあった。
【０００４】
一方で、特許文献２に記載の家庭用品加熱機のように、袋体の中に寝具掛け部材を配備し、その寝具掛け部材に掛けた寝具類に熱風を噴きつけて加熱乾燥させるものが知られている。このような家庭用品加熱機は、袋体を折り畳めるし寝具掛け部材も分解できるので、住宅の出入口から室内へ搬入することが可能である。
【先行技術文献】
【特許文献】
【０００５】
【特許文献１】特開平１０−２９０８９７号公報
【特許文献２】実開昭６２−４９８０号公報
【発明の概要】
【発明が解決しようとする課題】
【０００６】
しかしながら、特許文献２に記載の家庭用品加熱機では、寝具類を被包しているのが袋体だけなので、熱風からの熱は袋体の薄いシート材を貫通して袋外に放出されたり、あるいは熱風自体が寝具類の傍を単に通り抜けて袋外に流出したりするという懸念がある。これにより、熱風からの熱は寝具類の内部の隅々にまで行き渡りにくいから、寝具類の表面が６０℃を超えているにも拘わらず、内部の一部が例えば４０℃にも達していないという不具合を生じることがある。そうすると、寝具類内の奥部に入り込んだ害虫の全てを死滅させることは困難である。
【０００７】
本発明は、上記した従来の問題点に鑑みてなされたものであって、布団などの家庭用品を袋体内に収容して加熱乾燥するのみならず、ダニなどの害虫も高温に曝して確実に死滅させることのできる家庭用品加熱機および家庭用品加熱方法の提供を目的とする。
【課題を解決するための手段】
【０００８】
上記目的を達成するために、本発明に係る家庭用品加熱機は、家庭用品を収容する断熱箱体と、断熱箱体を被包する耐熱性の外袋体と、家庭用商用電源で駆動されるとともに熱風を吹出口から吹き出す熱風装置と、熱風装置の吹出口と断熱箱体内とをつなぐ送風管と、を備えていて、断熱箱体を成す断熱壁が、断熱板材と、断熱板材を被包したアルミニウム板材と、から構成されているとともに、熱風装置から断熱箱体内に送り込まれた熱風を、断熱箱体の断熱壁の隙間から外袋体内へ流出させて、断熱箱体内の家庭用品を６５℃以上に加熱するように構成したことを特徴とするものである。
尚、本発明の家庭用品加熱機が適用される家庭用品としては、断熱箱体内に収容可能な物品が挙げられる。この本発明に云う家庭用品には、例えば布団、マットレス、枕、毛布、パジャマなどの寝具類や、例えば畳、じゅうたん、足ふきマット、縫いぐるみなどの一般家具類が含まれる。
【０００９】
また、前記構成において、断熱箱体、外袋体、熱風装置および送風管のいずれもが、住宅の出入口から室内に搬入可能な大きさに且つ組立分解自在にそれぞれ構成されていることを特徴とするものである。
【００１０】
そして、前記した各構成において、通気性を有する家庭用品載置台が、断熱箱体内に配備されることを特徴とするものである。
【００１１】
更に、前記した各構成において、断熱箱体が、住宅の出入口から室内に搬入可能な大きさに且つ組立分解自在にそれぞれ構成された、複数のパーツ部材から成ることを特徴とするものである。
【００１２】
また、本発明に係る家庭用品加熱方法は、家庭用品加熱機における断熱箱体、外袋体、熱風装置および送風管をそれぞれ住宅の出入口から室内に搬入する室内搬入工程と、室内での袋展張工程と、外袋体の底面上への箱体設置工程と、断熱箱体内への家庭用品収容工程と、断熱箱体の蓋止および外袋体被包を行なう封止工程と、熱風装置の駆動による断熱箱体内の家庭用品への家庭用品加熱工程と、６５℃以上に規定時間保持された家庭用品を取り出す家庭用品取出工程と、を備えて成ることを特徴とするものである。
【発明の効果】
【００１３】
本発明に係る家庭用品加熱機によれば、断熱箱体における断熱壁が、断熱板材と、それを被包したアルミニウム板材とから剛性壁として形成されているので、断熱板材は高熱を貫通させない。加えて、アルミニウム板材はその面方向に熱伝達を行なうとともに、家庭用品に向けて熱反射および熱輻射を行なう。そして、断熱箱体の外方周囲を外袋体がスッポリと包み込み、断熱箱体の隙間から熱風が流出して断熱箱体と外袋体との間に熱風層が形成される。これらの現象により、多量の熱を断熱箱体内に保持することができ、断熱箱体内を短時間で高い温度に到達させて、ダニなどの害虫を確実に死滅させるのである。
【００１４】
また、断熱箱体、外袋体、熱風装置および送風管のいずれもが、住宅の出入口から室内に搬入可能な大きさに且つ組立分解自在に構成されているものでは、室内で家庭用品の加熱乾燥殺虫を行なえるので、家庭用品を室内から運び出す手間がかからず、搬出した場合のように人目に曝されることがない。また、熱風装置が単相１００Ｖの家庭用商用電源であっても、断熱箱体の特徴構造により害虫を死滅させるだけの高温を得ることができる。すなわち、住宅内の家庭用商用電源を使用して短時間で殺虫を行なうことができる。
【００１５】
そして、通気性を有する家庭用品載置台が断熱箱体内に配備されるものでは、断熱箱体内の熱風が家庭用品載置台を上向きに通過して家庭用品の下面からも到達するので、家庭用品全体を万遍なく隅々まで高温に加熱することができる。
【００１６】
更に、断熱箱体が、住宅の出入口から室内に搬入可能な大きさに且つ組立分解自在にそれぞれ構成された、複数のパーツ部材から成るものでは、最も嵩張る断熱箱体が複数のパーツ部材に分解されるから、室内搬入搬出作業を極めて容易に行なうことができる。
【００１７】
また、本発明に係る家庭用品加熱方法によれば、室内搬入工程、袋展張工程、箱体設置工程、家庭用品収容工程、封止工程、家庭用品加熱工程および家庭用品取出工程が当該順に実施されるので、家庭用品を高温に保持する家庭用品加熱機を分解して住宅の室内に搬入し室内で組み立てできるから、家庭用品を室内から運び出すことなく室内に置いたまま、室内で高温加熱による乾燥と殺虫を行なうことができる。
【図面の簡単な説明】
【００１８】
【図１】本発明の一実施形態に係る家庭用品加熱機を示す図であって、（ａ）は正面図、（ｂ）は平面図である。
【図２】前記家庭用品加熱機の一部切欠き部分を含む斜視図である。
【図３】前記家庭用品加熱機の一部断面を含む側面構成図である。
【図４】前記家庭用品加熱機の断熱箱体を示す図であって、（ａ）は正面図、（ｂ）は平面に展開した状態の展開平面図である。
【図５】前記断熱箱体の組み立て途中の状態を示す斜視図である。
【図６】前記家庭用品加熱機の外袋体の蓋部を開いた状態を示す斜視図である。
【図７】前記家庭用品加熱機の家庭用品載置台を示す図であって、（ａ）は斜視図、（ｂ）は（ａ）におけるＢ−Ｂ線矢視断面図、（ｃ）は２つの家庭用品載置台を断熱箱体の底板パーツ上に横並びに置いた状態を示す平面図である。
【図８】前記家庭用品加熱機を用いて家庭用品を加熱乾燥殺虫処理する手順を示す工程図である。
【図９】前記家庭用品載置台を上下に２台積み重ねて用いる態様を示す一部断面を含む側面図である。
【図１０】本発明の別の実施形態に係る断熱箱体を示す分解斜視図である。
【発明を実施するための形態】
【００１９】
以下、本発明の実施形態を図面に基づいて説明する。尚、以下に述べる実施形態は本発明を具体化した一例に過ぎず、本発明の技術的範囲を限定するものでない。ここに、図１は本発明の一実施形態に係る家庭用品加熱機を示す図であって、（ａ）は正面図、（ｂ）は平面図、図２は前記家庭用品加熱機の一部切欠き部分を含む斜視図、図３は前記家庭用品加熱機の一部断面を含む側面構成図である。
各図において、この実施形態に係る家庭用品加熱機１は、家庭用品Ｇを収容する断熱箱体２と、断熱箱体２を被包する外袋体３と、断熱箱体２内へ熱風を吹き出す熱風装置４と、熱風装置４と断熱箱体２内をつないで熱風を送る送風管５と、から構成されている。
【００２０】
この家庭用品加熱機１は、例えば、横幅Ｌが２２００ｍｍであり、奥行Ｗが１５００ｍｍであり、高さＴが４００ｍｍ（マットレス１枚収容タイプ）であって、この組み上げ状態の家庭用品加熱機１でも住宅の玄関、勝手口あるいは窓などの出入口から室内へ搬入できる寸法である。但し、この組み上げ状態のままでは、全体の機械強度が不十分であったり全体重量が重すぎたりして、出入口からの搬入出に支障をきたすおそれがある。そこで、家庭用品加熱機１は、断熱箱体２、外袋体３、風装置４および送風管５に分解可能に構成され、これらは何れも住宅の出入口から室内に搬入出可能な大きさに形成されている。また、これらは組立も容易に行なえるようにされている。
【００２１】
前記した断熱箱体２は、図１〜図３に加えて図４および図５に示すように、上面開口２Ｄを有する箱本体２Ａと、上面開口２Ｄの周縁部に載せられて上面開口２Ｄを開閉自在に閉止する蓋パーツ２Ｂと、箱本体２Ａの底面パーツ２Ｃおよび側面パーツ２Ｆを組立分解自在に連結固定する断面コの字状の接合部品２２および平面Ｌの字状の接合部品２３と、から構成されている。この断熱箱体２は、住宅の出入口から室内に搬入可能な大きさに形成され、且つ、組立・分解自在にそれぞれ構成された、複数のパーツ部材に分けられている。すなわち、箱本体２Ａは、４枚の底面パーツ２Ｃ，２Ｃ，２Ｃ，２Ｃと、６枚の側面パーツ２Ｆ，２Ｆ，２Ｆ，２Ｆ，２Ｆ，２Ｆと、これらを着脱自在に連結する複数の接合金具２２・・，２３・・という複数のパーツ部材から構成されている。蓋パーツ２Ｂも室内に搬入可能であり、箱本体２Ａに対して組立分解自在となるパーツ部材のひとつである。各底面パーツ２Ｃの一辺には、家庭用品載置台６の脚体６Ｂを通すための２つの脚用切欠き２Ｇ，２Ｇが形成されている。また、前面に配置される２つの側面パーツ２Ｆには、それぞれ送風管５を通すための管通溝２Ｅが形成されている。
【００２２】
断熱箱体２のパーツを成す断熱壁２４は、図５中で１点鎖線の円Ａ内を一部破断した拡大図に示されるように、例えば厚さｔ＝２０ｍｍの発泡ポリスチレン（カネカ社製、難燃性のカネライトフォーム・スーパーＥ-II（独立気泡）、熱伝導率＝０．０３Ｗ／（ｍ・Ｋ））から成る断熱板材２５と、断熱板材２５の全面を被包した例えば厚さ２ｍｍのアルミニウム板材２６と、から構成されている。各面のアルミニウム板材２６，２６，２６，・・・の境目はアルミニウム溶接で接合されている。但し、本発明に係る断熱板材は前記のカネライトフォームに限定されず、厚さなども自由である。
【００２３】
前記した外袋体３は、図１〜図３に加えて図６に示すように、上面開口３Ｄを有する例えば平面視矩形状の袋本体３Ａと、上面開口３Ｄの背辺に連結されて上面開口３Ｄを開閉自在に閉止する蓋部３Ｂと、袋本体３Ａの上面開口３Ｄの縁部および蓋部３Ｂの左右辺および前辺に縫着されて互いに噛合する上下の金属ファスナ９，９と、上下の金属ファスナ９，９に移動自在に装着されて金属ファスナ９，９を噛合離間させる２つのスライダ１０，１０と、から構成されている。この外袋体３は、断熱箱体２全体の周囲を被って包み込むようになっており、袋本体３Ａの前側面には、送風管５，５を通すための管通孔３Ｅ，３Ｅが形成されている。そうして、２つのスライダ１０，１０を離して配置させると、それらの間には隙間開口１１が形成される。この隙間開口１１は熱風の外部への排気口になるし、追加の熱風装置４の送気管５を差し込むための差込口も兼ねる。
【００２４】
外袋体３の袋本体３Ａおよび蓋部３Ｂは、図６中で１点鎖線の円Ｃ内の拡大部分断面図に示されるように、耐熱性繊維（例えばメタ系アラミド繊維）から成る基布２８、および、基布２８の外面に周知の真空蒸着法により蒸着被覆されたアルミニウム蒸着膜２９から成る耐熱シート材２７（例えば菊池シート工業社製のアルミプロテック５４５１）で構成されている。この耐熱シート材２７は、自在に変形可能な可撓性と、気体を通さない非通気性を有している。但し、耐熱シート材２７はわずかながら剛性を有しているので、袋本体３Ａの側面は手を離しても崩れることなく自立している。尚、本発明に係る耐熱性繊維としては、前記のアラミド繊維に限定されない。
【００２５】
前記した熱風装置４としては、例えば単相１００Ｖを電源とする電気式熱風乾燥器（関西電熱社製のマルチドライヤＨＡＳ−２１：定格容量２１Ｗ）を２〜４台ほど用意した。ここでは、熱風装置４を２台使用した例を示している。熱風装置４は、吸気口１３および吹出口１２を有する本体ケーシング内に、送風機１７、電気加熱式の加熱ユニット１９、送風機１７の空気出側と加熱ユニット１９の空気入側とをつなぐ送気管１８、ならびに、送風機１７および加熱ユニット１９を駆動制御する制御ユニット１６、を備えている。この熱風装置４は、１００Ｖ家庭用商用電源を供給する室内コンセント（図示省略）にプラグ１５が連結されることにより作動可能な状態になる。また、制御ユニット１６は、断熱箱体２内に配備された温度センサ７から信号線８を経て得られた温度データに基づいて送風機１７および加熱ユニット１９を駆動して断熱箱体２内を例えば７０℃に制御するようになっている。但し、本発明に係る熱風装置は前記のマルチドライヤＨＡＳ−２１に限定されない。上記した熱風装置４の吹出口１２から吹き出される熱風の吹出温度は９０〜２００℃程度であるが、家庭用品Ｇの構成素材を傷めることのない吹出温度を選定することが望ましい。かかる望ましい吹出温度としては、例えば１００〜１５０℃である。尚、熱風の温度は吹出口１２から吹き出された後にいくぶん低下する。
【００２６】
前記した送風管５は、断熱箱体２内で底面パーツ２Ｃ上に設置されて幾つかの噴出口１４・・を有するノズル管５Ａと、先端がノズル管５Ａの末部に連結され末端が熱風装置４の吹出口１２に接続されたフレシキシブル管５Ｂと、から構成されている。
【００２７】
前記した家庭用品載置台６は、図７に示すように、横幅Ｌ１（＝６３０ｍｍ）で奥行Ｗ１（＝１４００ｍｍ）の平面視矩形状に形成された周枠材６Ｃと、周枠材６Ｃの前後中央部に架け渡された横桟材６Ｄと、周枠材６Ｃの内面四隅部にビス止めなどで固定された脚体６Ｂ，６Ｂ，６Ｂ，６Ｂと、周枠材６Ｃの上面に載せられた金網３０と、周枠材６Ｃとの間で金網３０を挟持するために金網３０の周縁部に載置されて木ネジ３１，３１，３１，・・・などで固定された矩形枠状の押え板６Ａと、から構成されている、脚体６Ｂの上端面は、押え板６Ａよりも低く周枠材６Ｃの上面と面一となるように配置され、これによって複数の家庭用品載置台６，６の脚体６Ｂを押え板６Ａの内側に入れ込んで上下に積み重ねできるようになっている。この家庭用品載置台６は、断熱箱体２内に配備されるものであって、特に金網３０の採用により上下方向に格別の通気性を有している。これにより、家庭用品載置台６上に載置された家庭用品Ｇは、その上面および側面からはもとより、その下面からも家庭用品載置台６の金網３０を通過した熱風の高熱を受けて加熱されやすく、迅速に昇温するようになっている。尚、本発明に係る家庭用品載置台としては、金網３０の替わりに、多数のパンチ穴を開けたパンチングプレート、多数の格子穴を開けた格子板、あるいはメッシュ板などを用いても構わない。
【００２８】
上記のように構成された家庭用品加熱機１の作用を、図１〜図８を用いて説明する。
この家庭用品加熱機１による家庭用品Ｇ（ここでは例えばマットレス）の加熱乾燥殺虫処理は、図８に示すように、以下に詳述する箱体分解工程Ｓ１、室内搬入工程Ｓ２、袋展張工程Ｓ３、箱体設置工程Ｓ４、家庭用品収容工程Ｓ５、封止工程Ｓ６、家庭用品加熱工程Ｓ７、および家庭用品取出工程Ｓ８を順次経て行なわれる。
先ず、箱体分解工程Ｓ１では、予め、家庭用品加熱機における断熱箱体２が、住宅の出入口から室内に搬入可能な大きさの、複数のパーツ部材（２Ｂ、２Ｃ、２Ｆ、２２、２３）に分解される。
【００２９】
次に、室内搬入工程Ｓ２では、家庭用品加熱機１から個々に分解された、断熱箱体２、外袋体３、例えば２台の熱風装置４，４および２本の送風管５，５がそれぞれ住宅の出入口（例えば玄関、勝手口、窓など）から室内に搬入される。
そして、袋展張工程Ｓ３では、外袋体３が室内の床Ｆに置かれて底面３Ｃが展張される。
【００３０】
続く箱体設置工程Ｓ４では、外袋体３の展張された底面３Ｃ上に、４枚の底面パーツ２Ｃ，２Ｃ，２Ｃ，２Ｃ（図５参照）が敷き詰められ、隣り合う底面パーツ２Ｃ，２Ｃの外周辺がそれぞれ接合金具２２，２２，２２，２２で接合されて固定され、一体の底面部となる。また、２枚の側面パーツ２Ｆ，２Ｆが接合金具２２，２２により突き合せ接合されて１組となり、これらの２組が前記一体底面部の前面と背面に立てかけられ、前記一体底面部の左右側面に、２枚の側面パーツ２Ｆ，２Ｆが立てかけられる。そうして、前後の２組と左右の側面パーツ２Ｆ，２Ｆの接合位置の上下に、接合金具２３，２３，２３，２３，２３，２３，２３，２３が装着されて、これらの側面パーツ２Ｆ，２Ｆ，２Ｆ，・・・を固定する。このように固定された側面パーツ２Ｆ，２Ｆ，２Ｆ，・・・の四隅部には、隙間２１，２１，２１，２１が生じている。こうして組み上がった箱本体２Ａの上面開口２Ｄに蓋パーツ２Ｂが載せられると、この蓋パーツ２Ｂの下面と箱本体２Ａの上端面との間にも、隙間２０が生じる。このようにして、熱風流出可能な断熱箱体２が外袋体３内に設置されるのである。
【００３１】
次の家庭用品収容工程Ｓ５に先立って、例えば２つの家庭用品載置台６，６が断熱箱体２の底面パーツ２Ｃ，２Ｃ，２Ｃ，２Ｃの上方に横並びに設置される。このとき、各家庭用品載置台６の脚体６Ｂ，６Ｂ，６Ｂ，６Ｂは断熱箱体２の底面パーツ２Ｃ，２Ｃの脚用切欠き２Ｇ，２Ｇ，２Ｇ，２Ｇを通されて位置決めされた状態で、外袋体３の底面３Ｃに置かれる。そして、家庭用品収容工程Ｓ５では、断熱箱体２内の家庭用品載置台６，６上に家庭用品Ｇが置かれる。
【００３２】
そうして、封止工程Ｓ６では、断熱箱体２における箱本体２Ａの上面開口２Ｄが蓋パーツ２Ｂで蓋止される。その後、外袋体３の袋本体３Ａの上面開口３Ｄが蓋部３Ｂで蓋止されることにより、断熱箱体２が被包され、スライダ１０，１０が摺動されることにより、ファスナ９，９が噛合して外袋体３が封止される。
【００３３】
引き続く家庭用品加熱工程Ｓ７では、室内の家庭用商用電源のコンセントに各熱風装置４のプラグ１５がつながれ、各熱風装置４の電源スイッチがオンにされる。すると、各熱風装置４の制御ユニット１６は、送風機１７および加熱ユニット１９を駆動させ、吸気口１３から入った空気を加熱ユニット１９が加熱して熱風とし吹出口１２から送風管５へ吹き出させる。この場合、各熱風装置４は例えば１．３立米／分（静圧２４０Ｐａ）の吹出量で１３０℃の熱風を吹出口１２から送風管５へ吹き出す。更に、送風管５の熱風は、噴出口１４から断熱箱体２内に噴き出されて、その一部は家庭用品載置台６および家庭用品Ｇの周囲から家庭用品Ｇの上面に回り込み、残りは家庭用品載置台６の金網３０を通過して家庭用品Ｇの下面に至る。このとき、家庭用品載置台６および家庭用品Ｇの周囲に回り込んだ熱風は断熱箱体２の断熱壁２４のアルミニウム板２６に当たり、アルミニウム板２６の面方向への迅速な熱移動、アルミニウム板２６の滑らかな金属面による熱反射、およびアルミニウム板２６からの熱輻射の現象を生じさせる。これらの複合現象により、家庭用品Ｇの昇温速度が大きくなる。
【００３４】
一方、送風管５から断熱箱体２内へ強制的に送り込まれた熱風は、断熱箱体２内でしばらく滞留したのちに隙間２０，２１から出て外袋体３内に流入する。そして、流入した熱風は図３中の２点鎖線で示す外袋体３のように、外袋体３を膨張させたのち、スライダ１０，１０間の隙間開口１１から袋外へ流出する。このように、外袋体３が膨張して断熱箱体２との間に熱風層Ｐ（図３参照）を形成することにより、この熱風層Ｐがクッション層の働きをして、断熱箱体２から外部への直なる熱漏洩を防ぎ、断熱箱体２内の高熱保持に一役買っているのである。そうして、駆動開始から例えば１０分間程度で家庭用品Ｇの表面温度すなわち断熱箱体２内温度が６５℃以上に到達する。
【００３５】
熱風装置４の吹出口１２から断熱箱体２内に送り込まれた熱風は、断熱箱体２の断熱壁２４の隙間２０，２１から外袋体３内へ流入する。これにより、熱伝達効率が上がり、断熱箱体２内の家庭用品Ｇが全体にわたって７０℃の温度に加熱されるようになっている。そして、ダニなどの殺虫に確実な７０℃の温度が長時間（例えば２０分間）保持される。その後、外袋体３の蓋部３Ｂおよび断熱箱体２の蓋パーツ２Ｂが開かれて、それぞれの上面開口３Ｄ，２Ｄが開放されることにより、しばらくの間、家庭用品Ｇが放冷される。
【００３６】
そして、家庭用品取出工程Ｓ８では、ほどほどに放冷された家庭用品Ｇが断熱箱体２および外袋体３から取り出され、家庭用品Ｇの表面が掃除機などで吸引掃除されることにより、害虫の死骸や卵、塵埃などが家庭用品Ｇから除去される。そうして、当初の組立て時とは逆の態様で、熱風装置４および送風管５が取り外され、断熱箱体２が個々のパーツ部材に分解されて外袋体３から取り出され、外袋体３が折り畳まれる。こうして、これらのパーツ部材が住宅の出入口から搬出されることにより、一連の加熱乾燥殺虫処理が終了する。
【００３７】
上記したように、この実施形態の家庭用品加熱機１によれば、断熱箱体２における断熱壁２４が、断熱板材２５と、それを被包したアルミニウム板材２６とから剛性壁として形成されているので、断熱箱体２内の高熱を断熱壁２４から貫通させることがない。それに加えて、この断熱壁２４は、アルミニウム板材２６がその面方向に熱伝達を行なうとともに家庭用品Ｇに向けて熱反射および熱輻射を行なう。そして、断熱箱体２の外方周囲を外袋体３がスッポリと包み込み、更には断熱箱体２の隙間２０，２１から熱風が流出して断熱箱体２と外袋体３との間に熱風層Ｐを作る。この熱風層Ｐは、断熱箱体２と外袋体３との間の温度に関するクッション層となる。従って、外袋体３からの直なる熱の漏れよりも多量の熱を断熱箱体２内に保持することができる。その結果、断熱箱体２内を短時間で高い温度に到達させることができる。これにより、家庭用品Ｇを乾燥させ得るのは無論のこと、ダニなどの害虫を確実に死滅させることができる。
【００３８】
因みに、断熱箱体２の断熱壁としてアルミニウム板材を省略した発泡樹脂製だけのものを用いた場合は、熱風からの熱が面方向に伝わりにくく断熱箱体２内を６５℃以上に上げるまでに極めて長時間がかかったり、あるいは加熱途中での熱の漏れにより６５℃までに達しなかったりするおそれがある。また、断熱箱体の繰り返し使用により、断熱板材２５の表面がポロポロと崩れて劣化破損して家庭用品Ｇを汚したりするおそれがある。
【００３９】
そして、断熱箱体２内に配備された家庭用品載置台６に家庭用品Ｇを載せて熱風装置４を駆動するので、断熱箱体２内の熱風は、家庭用品Ｇの周囲はもとより家庭用品載置台６の金網３０を上向きに通過して家庭用品Ｇの下面からも到達する。従って、家庭用品Ｇを断熱箱体２の底面パーツ２Ｃ上に直に置いた場合と比べて、家庭用品Ｇ全体を万遍なく隅々まで高温に加熱することができ、これにより家庭用品Ｇの害虫を確実に死滅させることができる。
【００４０】
また、住宅内に搬入して組み立てた家庭用品加熱機１を用いて室内で家庭用品Ｇの加熱乾燥殺虫を行なえるので、家庭用品Ｇをわざわざ室内から運び出す手間がかからず、家庭用品Ｇを搬出した場合のように人目に曝されることがなく、家人にとっては望ましい加熱乾燥殺虫サービスを受けることができる。また、熱風装置４は単相１００Ｖの家庭用商用電源で作動するので、この熱風装置４を室内に持ち込んでも支障なく使用でき、家庭用品加熱機１の特徴的構造の採用も併せて、単相１００Ｖであっても害虫を死滅させるだけの高温を得ることができる。この場合、家庭用品加熱機１の構成部品の中で最も嵩をとり且つ剛性を有する断熱箱体２が複数のパーツ部材２Ｂ，２Ｃ，２Ｆ，２２，２３に分解されるから、構成部品の室内搬入搬出作業が楽になり、加熱乾燥殺虫サービスの質を高めることができる。
【００４１】
尚、上記の実施形態では、断熱箱体２内に１段の家庭用品載置台６を配備した例を示したが、本発明はそれに限定されない。例えば、図９に示すように、家庭用品載置台６ａの脚体６Ｂａを家庭用品載置台６の押え板６Ａ内に装着することにより、家庭用品載置台６，６ａを上下複数段に積み重ねて使用することも可能である。この場合は、２つの家庭用品Ｇ，Ｇを上下通気自在な加熱処理に供することができる。尚、家庭用品載置台６と家庭用品載置台６ａとの間に家庭用品Ｇの収容空間を確保するために、家庭用品載置台６ａの脚体６Ｂａは家庭用品載置台６の脚体６Ｂよりも長い寸法にされている。
【００４２】
また、上記では、断熱箱体の分割したパーツ部材として、４枚の底面パーツ２Ｃ，２Ｃ，２Ｃ．２Ｃと、６枚の側面パーツ２Ｆ，２Ｆ，２Ｆ，・・・とを用いた例を示したが、これらの分割数に本発明は限られない。
例えば、図１０に示した断熱箱体２ａの箱本体２Ａａのように、１枚の底面パーツ２Ｃａと４枚の側面パーツ２Ｆａと用いて接合部品２３で連結するようにしたものも、本発明に含まれる。このように構成すると、断熱箱体２ａの部品点数および種類が少なくなり、取り扱いも容易になる。
【００４３】
そして、本発明は、上記した実施の形態に限定されるものではない。すなわち、本発明の分野における通常の知識を有する者であれば想到し得る、各種変形、各種数値データの変更、および本発明の要旨を逸脱しない範囲での設計変更などがあっても、本発明に含まれることは言うまでもない。
【符号の説明】
【００４４】
１    家庭用品加熱機
２，２ａ  断熱箱体
２Ａ，２Ａａ  箱本体
２Ｂ  蓋パーツ
２Ｃ，２Ｃａ  底面パーツ
２Ｆ，２Ｆａ  側面パーツ
３    外袋体
３Ａ  袋本体
３Ｂ  蓋部
４    熱風装置
５    送風管
６，６ａ  家庭用品載置台
７    温度センサ
１１  隙間開口
１２  吹出口
１５  プラグ
２０，２１  隙間
２２，２３  接合部品
２４  断熱壁
２５  断熱板材
２６  アルミニウム板材
３０  金網
Ｆ    床
Ｇ    家庭用品
Ｐ    熱風層
Ｌ    横幅
Ｗ    奥行
Ｓ１  箱体分解工程
Ｓ２  室内搬入工程
Ｓ３  袋展張工程
Ｓ４  箱体設置工程
Ｓ５  家庭用品収容工程
Ｓ６  封止工程
Ｓ７  家庭用品加熱工程
Ｓ８  家庭用品取出工程
Ｔ    高さ
【図１】
2019013652.tif 000003
【図２】
2019013652.tif 000004
【図３】
2019013652.tif 000005
【図４】
2019013652.tif 000006
【図５】
2019013652.tif 000007
【図６】
2019013652.tif 000008
【図７】
2019013652.tif 000009
【図８】
2019013652.tif 000010
【図９】
2019013652.tif 000011
【図１０】
2019013652.tif 000012